(57)【特許請求の範囲】
【請求項１】
データ転送装置と外部機器との間でコマンドデータを伝達する第１通信セッションと、前記データ転送装置から前記外部機器にオーディオデータを伝達する第２通信セッションを前記外部機器と確立するセッション確立手段と、
前記セッション確立手段を制御して、前記第１通信セッションを確立するための前記外部機器からの要求に応えて前記外部機器との間で前記第１通信セッションを確立し、この第１通信セッションの確立後に前記外部機器から前記第２通信セッションを確立するための第２要求を待機し、前記外部機器から前記第２要求を受信しない場合に、前記セッション確立手段を制御して、前記第２通信セッションを確立するための第３要求を前記外部機器に送信し、前記第２通信セッションが前記外部機器と確立しない場合には、前記セッション確立手段を制御して、確立した前記第１通信セッションを切断するセッション制御手段とを具備することを特徴とするデータ転送装置。
【請求項２】
前記セッション制御手段は、前記外部機器に第３要求を送信する前の予め設定した第１時間の間、前記第２要求を待機し、前記外部機器から予め設定した第２時間内に、前記第３の要求を受信しない場合に、前記第１通信セッションを切断することを特徴とする請求項１に記載のデータ転送装置。
【請求項３】
前記第１通信セッションと前記第２通信セッションは、前記データ転送装置と前記外部機器との間に、互いに独立して確立されることを特徴とする請求項１に記載のデータ転送装置。
【請求項４】
前記セッション制御手段は、前記データ転送装置と前記第１通信セッションを確立する前記外部機器の第１識別情報と、前記第２要求を含む第２識別情報とを比較し、前記第２識別情報が前記第１識別情報と一致する場合に、前記外部機器と第２通信セッションを確立することを特徴とする請求項１に記載のデータ転送装置。
【請求項５】
移動通信網の基地局と通信する無線通信手段と、
前記無線通信手段を通じて、サーバからオーディオデータをダウンロードするダウンロード制御手段と、
ダウンロードしたオーディオデータを記憶する記憶手段と、
携帯電話と外部機器との間でコマンドデータを伝達する第１通信セッションと、前記記憶手段にダウンロードしたオーディオデータを前記外部機器に送信する第２通信セッションを確立するセッション確立手段と、
セッション確立手段を制御して、第１通信セッションを確立するための前記外部機器からの要求に応えて前記外部機器との間で第１通信セッションを確立し、この第１通信セッションの確立後に前記外部機器から第２通信セッションを確立するための第２要求を待機し、前記外部機器から前記第２要求を受信しない場合に、前記セッション確立手段を制御して、前記第２通信セッションを確立するための第３要求を前記外部機器に送信し、前記第２通信セッションが前記外部機器と確立しない場合には、前記セッション確立手段を制御して、確立した前記第１通信セッションを切断するセッション制御手段とを具備することを特徴とする携帯電話。
【請求項６】
前記セッション制御手段は、前記外部機器に第３要求を送信する前の予め設定した第１時間の間、前記第２要求を待機し、前記外部機器から予め設定した第２時間内に、前記第３の要求を受信しない場合に、前記第１通信セッションを切断することを特徴とする請求項５に記載の携帯電話。
【請求項７】
前記第１通信セッションと前記第２通信セッションは、前記携帯電話と前記外部機器との間に、互いに独立して確立されることを特徴とする請求項５に記載の携帯電話。
【請求項８】
前記セッション制御手段は、前記データ転送装置と前記第１通信セッションを確立する前記外部機器の第１識別情報と、前記第２要求を含む第２識別情報とを比較し、前記第２識別情報が前記第１識別情報と一致する場合に、前記外部機器と第２通信セッションを確立することを特徴とする請求項５に記載の携帯電話。
【発明の詳細な説明】
【技術分野】
【０００１】
この発明は、移動通信網を通じてダウンロードした例えばオーディオデータなどのデータを対向機器に転送するデータ転送装置に関する。
【背景技術】
【０００２】
近時、携帯電話機は、移動通信網を通じてオーディオデータをダウンロードして保存し、それを再生する機能を備える。さらには、Advanced Audio/Video Distribution Profile（Bluetooth（登録商標） SIG）に準拠したBluetoothなどの近距離無線通信機能を備え、ダウンロードして保存しているオーディオデータを対向機器に転送する機能（以下、データ転送機能と称する）を備える。
【０００３】
また、Audio/video Remote Control Profile（Bluetooth SIG）に準拠した仕様の近距離無線通信機能を備えた携帯電話機は、上記機能により、対向機器を遠隔制御するリモートコントローラとして機能（以下、リモコン機能と称する）したり、あるいは対向機器から遠隔制御を受けることが可能である。
【０００４】
これらの近距離無線通信機能を並行して利用し、リモコン機能によって対向機器から携帯電話機にオーディオデータの指定や転送を要求し、この要求に基づきデータ転送機能によって、指定されるオーディオデータを携帯電話機から対向機器に転送するシステムの開発が本発明者によって行われている。
【０００５】
本発明者は、その一例として、まずリモコン機能を利用するために、携帯電話機と対向機器との間にリモコンセッションを確立し、その後、データ転送機能を実施するために、携帯電話機と対向機器との間にリモコンセッションを確立するシステムを考えている。このようなシステムでは、例えば対向機器がデータ転送機能に対応しないような場合に、リモコンセッションを確立したのにもかかわらず、データ転送が行われないため、不必要にリモコンセッションが維持されるという不具合が考えられる。
【０００６】
これに対して従来は、パケット通信リンクを２つの機器の間で確立し、そのリンクを通じてデータ転送が行われない場合には、上記パケット通信リンクを切断することが考えられている（例えば、特許文献１，２参照）。しかしながら、これらの文献で開示される技術は、１つのセッションに関わるものであって、前述したような２つのセッションに関わるものではない。
【特許文献１】特表２００３−５２４９６１公報。
【特許文献２】特開２００２−３６８７７５公報。
【発明の開示】
【発明が解決しようとする課題】
【０００７】
従来のデータ転送装置では、２つのセッションを確立してデータ転送を行う場合に、データ転送が行われないのにもかかわらず、一方のセッションが維持されてしまうという問題があった。  
この発明は上記の問題を解決すべくなされたもので、２つのセッションを確立してデータ転送を行う場合に、不必要なセッションを切断することが可能なデータ転送装置および携帯電話を提供することを目的とする。
【課題を解決するための手段】
【０００８】
上記の目的を達成するために、この発明は、データ転送装置と外部機器との間でコマンドデータを伝達する第１通信セッションと、データ転送装置から外部機器にオーディオデータを伝達する第２通信セッションを外部機器と確立するセッション確立手段と、セッション確立手段を制御して、第１通信セッションを確立するための外部機器からの要求に応えて外部機器との間で第１通信セッションを確立し、この第１通信セッションの確立後に外部機器から第２通信セッションを確立するための第２要求を待機し、外部機器から第２要求を受信しない場合に、セッション確立手段を制御して、第２通信セッションを確立するための第３要求を外部機器に送信し、第２通信セッションが外部機器と確立しない場合には、セッション確立手段を制御して、確立した第１通信セッションを切断するセッション制御手段とを具備して構成するようにした。
【発明の効果】
【０００９】
この発明によれば、２つのセッションを確立してデータ転送を行う場合に、不必要なセッションを切断することが可能なデータ転送装置および携帯電話を提供できる。
【発明を実施するための最良の形態】
【００１０】
以下、図面を参照して、この発明の一実施形態について説明する。  
図１は、この発明の一実施形態に係わるデータ転送装置の構成を示すものである。図１では、データ転送装置の一例として、携帯電話機ＭＳを例に挙げ、対向機器の例としてオーディオ機器ＡＥを例に挙げている。
【００１１】
携帯電話機ＭＳは、基地局ＢＳおよび移動通信網ＮＷを通じた音声通信が可能であるとともに、基地局ＢＳおよび移動通信網ＮＷを通じて、配信サーバからオーディオデータをダウンロードする。そして携帯電話機ＭＳは、オーディオ機器ＡＥとの間に、Bluetooth（登録商標）などの近距離無線通信によって、両機器間でリモートコントロールを行うためのリモコンセッションと、上記オーディオデータなどのデータを転送するためのデータ転送セッションをそれぞれ確立する。
【００１２】
そして、例えばリモコンセッションを通じたオーディオ機器ＡＥからの要求に応じて、携帯電話機ＭＳは、データ転送セッションを通じて、上記要求に応じたオーディオデータをオーディオ機器ＡＥに転送する。オーディオデータを受信したオーディオ機器ＡＥは、オーディオデータに基づく音楽などを再生する。
【００１３】
携帯電話機ＭＳは、図１に示すように、移動無線通信部１０と、近距離無線通信部２０と、音楽プレイヤ部３０と、音楽サービス制御部４０と、音楽データ転送制御部５０と、リモコン制御部６０と、記憶部７０と、入力部８０と、表示部９０と、主制御部１００とを備える。
【００１４】
移動無線通信部１０は、移動通信網ＮＷに収容される基地局ＢＳと無線通信するものであって、基地局ＢＳおよび移動通信網ＮＷを通じて音声通信を行う。また移動無線通信部１０は、音楽サービス制御部４０からの指示にしたがって、基地局ＢＳおよび移動通信網ＮＷを通じて、配信サーバＳＶと通信して、配信サーバＳＶが蓄積するオーディオデータをダウンロードし、このデータを記憶部７０に記録する。
【００１５】
近距離無線通信部２０は、Bluetoothによりオーディオ機器ＡＥと近距離無線通信を行う無線通信部である。例えば、後述するリモコン制御部６０からの指示にしたがって近距離無線通信部２０は、オーディオ機器ＡＥとの間に、Audio/video Remote Control Profile（Bluetooth SIG）に準拠したリモコンセッションを確立し、このセッションを通じてリモコンデータの送信または受信を行う。
【００１６】
また近距離無線通信部２０は、後述する音楽データ転送制御部５０からの指示にしたがって、オーディオ機器ＡＥとの間に、Advanced Audio/Video Distribution Profile（Bluetooth SIG）に準拠したデータ転送セッションを確立し、このセッションを通じてオーディオデータの送信を行うものである。
【００１７】
音楽プレイヤ部３０は、主制御部１００からの指示にしたがって、記憶部７０に記録されたオーディオデータを読み出す。そして音楽プレイヤ部３０は、読み出したオーディオデータをデコードしてアナログ信号に変換し、このアナログ信号に基づいて音楽再生を行うものである。
【００１８】
音楽サービス制御部４０は、主制御部１００からオーディオデータをダウンロードする指示があった場合に、移動無線通信部１０を制御して、オーディオデータのダウンロードを行わせる。
【００１９】
音楽データ転送制御部５０は、主制御部１００からの指示があった場合や、オーディオ機器ＡＥからデータ転送セッションの確立要求を受信した場合に、近距離無線通信部２０に、オーディオ機器ＡＥとの間にデータ転送セッションを確立させる。そして、音楽データ転送制御部５０は、主制御部１００が指定するオーディオデータを記憶部７０から読み出して、上記データ転送セッションを通じて、読み出したオーディオデータをオーディオ機器ＡＥに送信させるように近距離無線通信部２０を制御する。
【００２０】
リモコン制御部６０は、主制御部１００からリモコンデータの送信を行う指示があった場合や、オーディオ機器ＡＥからリモコンセッションの確立要求を受信した場合に、近距離無線通信部２０に、オーディオ機器ＡＥとの間にリモコンセッションを確立させる。そして、リモコン制御部６０は、主制御部１００から与えられるコマンドデータを、上記リモコンセッションを通じてオーディオ機器ＡＥに送信するように近距離無線通信部２０を制御したり、あるいは、上記リモコンセッションを通じてオーディオ機器ＡＥからコマンドデータを受信するように近距離無線通信部２０を制御する。
【００２１】
記憶部７０は、主制御部１００の制御プログラムや制御データ、ダウンロードしたオーディオデータを記憶するものである。入力部８０は、複数のキースイッチからなり、ユーザの要求を受け付けるユーザインターフェースである。表示部９０は、ＬＣＤ（Liquid Crystal Display）などを用いて、文字や画像を表示するものである。
【００２２】
主制御部１００は、当該携帯電話機ＭＳの各部を統括して制御するものである。その制御機能の一例として、入力部８０を通じたユーザからの指示に応じて、移動無線通信部１０を制御し、基地局ＢＳおよび移動通信網ＮＷを通じて音声通信やオーディオデータのダウンロードを行う制御機能、オーディオデータをオーディオ機器ＡＥに転送するために、音楽データ転送制御部５０およびリモコン制御部６０を制御する機能を備える。
【００２３】
次に、上記構成の携帯電話機ＭＳの動作について説明する。以下の説明では特に、オーディオデータをオーディオ機器ＡＥに転送する際の動作について説明する。図２に、携帯電話機ＭＳとオーディオ機器ＡＥとの間で為される情報交換のシーケンスを示す。なお、オーディオ機器ＡＥは、携帯電話機ＭＳが備える近距離無線通信部２０、音楽データ転送制御部５０およびリモコン制御部６０と同様の構成を備える。
【００２４】
まず、オーディオ機器ＡＥが近距離無線通信を利用して、リモコンセッションの確立要求を行うと（シーケンスＳ１）、この要求は近距離無線通信部２０で受信され、リモコン制御部６０に通知される。なお、上記要求には、オーディオ機器ＡＥを識別するための識別情報が含まれる。
【００２５】
これに対して、リモコン制御部６０は、上記確立要求の通知が検出されると、近距離無線通信部２０に、リモコンセッションの確立応答を送信させる。これにより近距離無線通信部２０は、上記確立応答を送信し（シーケンスＳ２）、携帯電話機ＭＳとオーディオ機器ＡＥとの間にリモコンセッションが確立する（シーケンスＳ３）。なお、上記応答には、オーディオ機器ＡＥを識別するための識別情報が含まれる。
【００２６】
このようにしてリモコンセッションが確立すると、この旨とオーディオ機器ＡＥの識別情報がリモコン制御部６０から主制御部１００に通知される（シーケンスＳ４）。すると、主制御部１００は、上記通知を検出すると、この検出があってから所定時間Ｗ１の間、オーディオ機器ＡＥからデータ転送セッションの確立要求の受信を待機する。すなわち、所定時間Ｗ１の間、近距離無線通信部２０が受信する情報を音楽データ転送制御部５０が監視する。そして、音楽データ転送制御部５０は、データ転送セッションの確立要求を検出すると、主制御部１００に上記検出を通知する。
【００２７】
なおここで、近距離無線通信部２０が受信する情報からデータ転送セッションの確立要求を音楽データ転送制御部５０が検出すると、音楽データ転送制御部５０は、上記確立要求に含まれる識別情報が、オーディオ機器ＡＥの識別情報と一致するか否かを確認する。ここで一致する場合には、音楽データ転送制御部５０は、上記確立要求の検出と上記識別情報を主制御部１００に通知するとともに、近距離無線通信部２０に、データ転送セッション確立応答を送信させる。これにより、携帯電話機ＭＳとオーディオ機器ＡＥとの間にデータ転送セッションを確立する。なお、一致しない場合には、音楽データ転送制御部５０は、引き続き、近距離無線通信部２０が受信する情報を監視する。
【００２８】
一方、所定時間Ｗ１の間に、データ転送セッションの確立要求が検出されない場合、すなわち、音楽データ転送制御部５０からオーディオ機器ＡＥの識別情報が通知されない場合には、主制御部１００は、音楽データ転送制御部５０に対して、オーディオ機器ＡＥとデータ転送セッションを確立させるように指示する（シーケンスＳ５）。
【００２９】
これに対して音楽データ転送制御部５０は、近距離無線通信部２０に、オーディオ機器ＡＥに宛ててデータ転送セッションの確立要求を送信させる。これにより近距離無線通信部２０は、上記確立要求をオーディオ機器ＡＥに宛てて送信する（シーケンスＳ６）。
【００３０】
このようにして上記確立要求がオーディオ機器ＡＥに宛てて送信された後、主制御部１００は、上記確立要求が送信されてから所定時間Ｗ２の間、オーディオ機器ＡＥからデータ転送セッションの確立応答の受信を待機する。すなわち、所定時間Ｗ２の間、近距離無線通信部２０が受信する情報を音楽データ転送制御部５０が監視する。そして、音楽データ転送制御部５０は、データ転送セッションの確立応答を検出すると、主制御部１００に上記検出を通知する。
【００３１】
なおここで、近距離無線通信部２０が受信する情報からデータ転送セッションの確立応答を音楽データ転送制御部５０が検出すると、音楽データ転送制御部５０は、上記確立要求に含まれる識別情報が、オーディオ機器ＡＥの識別情報と一致するか否かを確認する。ここで一致する場合には、音楽データ転送制御部５０は、上記確立応答の検出と上記識別情報を主制御部１００に通知するとともに、近距離無線通信部２０に、データ転送セッションを確立させる。これにより、携帯電話機ＭＳとオーディオ機器ＡＥとの間にデータ転送セッションを確立する。なお、一致しない場合には、音楽データ転送制御部５０は、引き続き、近距離無線通信部２０が受信する情報を監視する。
【００３２】
一方、所定時間Ｗ２の間に、データ転送セッションの確立応答が検出されない場合に、すなわち、音楽データ転送制御部５０からオーディオ機器ＡＥの識別情報が通知されない場合には、主制御部１００は、リモコン制御部６０に対して、シーケンスＳ２で確立したリモコンセッションを切断するように指示する（シーケンスＳ７）。これに対してリモコン制御部６０は、近距離無線通信部２０に、リモコンセッションの切断要求を送信させる。これにより近距離無線通信部２０は、オーディオ機器ＡＥに上記切断要求を送信する（シーケンスＳ８）。
【００３３】
これに対して、オーディオ機器ＡＥは、上記切断要求が検出されると、これに応答するリモコンセッションの切断応答を送信する（シーケンスＳ９）。これを受信した近距離無線通信部２０は、オーディオ機器ＡＥとの間のリモコンセッションを切断し、当該処理を終了する。
【００３４】
以上のように、上記構成の携帯電話機ＭＳは、２つのセッションを確立してデータ転送を行うものであって、オーディオ機器ＡＥとの間に、リモコンセッションが確立した後、所定時間（Ｗ１＋Ｗ２）の間に、データ転送セッションが確立されない場合には、上記リモコンセッションを切断するようにしている。
【００３５】
リモコンセッションの確立に続いて、データ転送セッションが確立されない理由としては、オーディオ機器ＡＥがデータ転送セッションの確立を受け付けない場合や、オーディオ機器ＡＥがデータ転送セッションを確立する機能を備えない場合などが考えられる。
【００３６】
したがって、上記構成の携帯電話機ＭＳによれば、上述した理由などによってデータ転送セッションが確立できない場合、不必要なリモコンセッションを切断することができ、消費電力を節約することができる。
【００３７】
また上記構成の携帯電話機ＭＳは、オーディオ機器ＡＥとの間に、リモコンセッションが確立した後、所定時間（Ｗ１）経過してもデータ転送セッションが確立されない場合には、データ転送セッションの確立要求をオーディオ機器ＡＥに対して送信するようにしている。
【００３８】
したがって、上記構成の携帯電話機ＭＳによれば、一時的な電波環境の劣化や、データ転送セッションを確立する手順の違いにより、オーディオ機器ＡＥからのデータ転送セッション確立要求を受信できなかった場合でも、データ転送セッションの確立要求をオーディオ機器ＡＥに対して送信するようにしているので、オーディオ機器ＡＥ側の意図に反してリモコンセッションを切断してしまうことを防止できる。
【００３９】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００４０】
その一例として例えば、上記実施の形態では、携帯電話機ＭＳが、オーディオ機器ＡＥの識別情報に基づいてオーディオ機器ＡＥとの間に、リモコンセッションとデータ転送セッションを確立する場合を例に挙げて説明したが、例えば図３に示すように、パーソナルコンピュータＰＣの識別情報に基づいてパーソナルコンピュータＰＣとの間に、リモコンセッションを確立し、オーディオ機器ＡＥの識別情報に基づいてオーディオ機器ＡＥとの間に、データ転送セッションを確立する場合にも適用できる。
【００４１】
図３に示す構成では、携帯電話機ＭＳは、リモコンセッションを通じたパーソナルコンピュータＰＣからの要求に応じて、データ転送セッションを通じて、上記要求に応じたオーディオデータをオーディオ機器ＡＥに転送する。
【００４２】
また上記実施の形態では、リモコンセッションが確立した後、データ転送セッションが確立されない場合に、上記リモコンセッションを切断する構成について説明したが、データ転送セッションが確立した後、リモコンセッションが確立されない場合に、上記データ転送セッションを切断する構成であってもよい。  
その他、この発明の要旨を逸脱しない範囲で種々の変形を施しても同様に実施可能であることはいうまでもない。
【図面の簡単な説明】
【００４３】
【図１】この発明に係わるデータ転送装置の一実施形態の構成と、適用されるシステムの構成を示す図。
【図２】図１に示したデータ転送装置と対向機器との間で為される情報交換のシーケンスを説明するための図。
【図３】この発明に係わるデータ転送装置が適用されるシステムの変形例を示す図。
【符号の説明】
【００４４】
ＡＥ…オーディオ機器、ＢＳ…基地局、ＭＳ…携帯電話機、ＮＷ…移動通信網、ＰＣ…パーソナルコンピュータ、ＳＶ…配信サーバ、１０…移動無線通信部、２０…近距離無線通信部、３０…音楽プレイヤ部、４０…音楽サービス制御部、５０…音楽データ転送制御部、６０…リモコン制御部、７０…記憶部、８０…入力部、９０…表示部、１００…主制御部。
【図１】
0004439476.tif 000002
【図２】
0004439476.tif 000003
【図３】
0004439476.tif 000004